(57)【要約】【課題】集光、拡散、変角等の光学的機能が格段に高い光学シート及びこれを用いて正面方向の高輝度化、輝度の均一化、視野角の適正化、薄型化等の品質の向上が促進されるバックライトユニットの提供を目的とするものである。【解決手段】本発明の光学シート１は、表面に複数のマイクロレンズ４からなるマイクロレンズアレイ３を備えており、このマイクロレンズ４が長軸６を法線方向に向けた楕円面５の部分的形状を有している。マイクロレンズ４の高さ比（Ｈ／ＲＬ）は３／４以上１以下、扁平比（ＲＬ／ＲＳ）は１．０５以上１．７以下、長軸半径（ＲＬ）は１０μｍ以上１０００μｍ以下、マイクロレンズ４の充填率は４０％以上、マイクロレンズ４の表面粗さ（Ｒａ）は１０μｍ以下、マイクロレンズアレイ３を構成する素材の屈折率は１．３以上１．８以下が好ましい。【選択図】  図１
2004191611.tif 000002
【特許請求の範囲】
【請求項１】
表面に複数のマイクロレンズからなるマイクロレンズアレイを備え、
このマイクロレンズが、長軸を法線方向に向けた楕円面の部分的形状を有している光学シート。
【請求項２】
上記マイクロレンズの高さ（Ｈ）の楕円面の長軸半径（ＲＬ）に対する高さ比（Ｈ／ＲＬ）が３／４以上１以下である請求項１に記載の光学シート。
【請求項３】
上記マイクロレンズの楕円面における長軸半径（ＲＬ）の短軸半径（ＲＳ）に対する扁平比（ＲＬ／ＲＳ）が１．０５以上１．７以下である請求項１又は請求項２に記載の光学シート。
【請求項４】
上記マイクロレンズの楕円面における長軸半径（ＲＬ）が１０μｍ以上１０００μｍ以下である請求項１、請求項２又は請求項３に記載の光学シート。
【請求項５】
上記マイクロレンズの充填率が４０％以上である請求項１から請求項４のいずれか１項に記載の光学シート。
【請求項６】
上記マイクロレンズの表面粗さ（Ｒａ）が１０μｍ以下である請求項１から請求項５のいずれか１項に記載の光学シート。
【請求項７】
上記マイクロレンズアレイを構成する素材の屈折率が１．３以上１．８以下である請求項１から請求項６のいずれか１項に記載の光学シート。
【請求項８】
上記マイクロレンズアレイにおけるマイクロレンズの配設パターンが正三角形格子パターン又はランダムパターンである請求項１から請求項７のいずれか１項に記載の光学シート。
【請求項９】
上記マイクロレンズの楕円面における２短軸が略同一長さである請求項１から請求項８のいずれか１項に記載の光学シート。
【請求項１０】
上記マイクロレンズアレイを構成する素材として放射線硬化型樹脂又は熱可塑性樹脂が用いられている請求項１から請求項９のいずれか１項に記載の光学シート。
【請求項１１】
裏面にバインダー中にビーズが分散したスティッキング防止層を備えている請求項１から請求項１０のいずれか１項に記載の光学シート。
【請求項１２】
ランプから発せられる光線を分散させて表面側に導く液晶表示装置用のバックライトユニットにおいて、
請求項１から請求項１１のいずれか１項に記載の光学シートを備えていることを特徴とする液晶表示装置用のバックライトユニット。
【発明の詳細な説明】
【０００１】
【発明の属する技術分野】
本発明は、集光、拡散、法線方向側への屈折等の諸機能を有し、特に液晶表示装置のバックライトユニットに好適な光学シート、及び、これを用いたバックライトユニットに関するものである。
【０００２】
【従来の技術】
液晶表示装置は、液晶層を背面から照らすバックライト方式が普及し、液晶層の下面側にエッジライト型（サイドライト型）、直下型等のバックライトユニットが装備されている。かかるエッジライト型のバックライトユニット２０は、一般的には図４（ａ）に示すように、光源としての棒状のランプ２１と、このランプ２１に端部が沿うように配置される方形板状の導光板２２と、この導光板２２の表面側に積層される複数枚の光学シート２３とを装備している。この光学シート２３は、屈折、拡散等の特定の光学的機能を有するものであり、具体的には（１）導光板２２の表面側に配設され、主に光拡散機能や集光機能を有するビーズ塗工シート２４、（２）ビーズ塗工シート２４の表面側に配設され、法線方向側への屈折機能を有するプリズムシート２５などが該当する。
【０００３】
このバックライトユニット２０の機能を説明すると、まず、ランプ２１より導光板２２に入射した光線は、導光板２２裏面の反射ドット又は反射シート（図示されず）及び各側面で反射され、導光板２２表面から出射される。導光板２２から出射した光線はビーズ塗工シート２４に入射し、拡散され、表面より出射される。その後、ビーズ塗工シート２４から出射された光線は、プリズムシート２５に入射し、表面に形成されたプリズム部２５ａによって、略真上方向にピークを示す分布の光線として出射される。このように、ランプ２１から出射された光線が、光学シート２３によって拡散され、略真上方向にピークを示すように屈折され、さらに上方の図示していない液晶層全面を照明するものである。
【０００４】
また図示していないが、上述の導光板２２の導光特性や光学シート２３の光学的機能などを考慮し、ビーズ塗工シートやプリズムシートなどの光学シート２３をさらに多く配設したバックライトユニットもある。
【０００５】
上記従来のビーズ塗工シート２４としては、一般的には図４（ｂ）に示すように、透明な合成樹脂製の基材層２６と、この基材層２６の表面に積層されかつ光拡散性を有する光学層２７とを備えている（例えば特開２０００−８９００７公報等参照）。この光学層２７は、一般的にはバインダー２８中に樹脂ビーズ２９を有している。この樹脂ビーズ２９の存在によってビーズ塗工シート２４の表面にレンズ状の微細凹凸が形成される。ビーズ塗工シート２４は、このレンズ状の微細凹凸や樹脂ビーズ２９の界面での屈折により拡散、集光、法線方向側への屈折（変角）等の光学的機能が奏される。
【０００６】
【特許文献１】
特開２０００−８９００７公報
【０００７】
【発明が解決しようとする課題】
上記従来のビーズ塗工シート２４は、樹脂ビーズ２９表面にバインダー２８が覆うため、樹脂ビーズ２９が十分に突出し難く、意図する形状のマイクロレンズの形成が困難である。そのため、ビーズ塗工シート２４は、集光、拡散、変角等の光学的機能の向上には一定の限界がある。従って、従来のバックライトユニット２０では、高価でかつ取扱いが困難であるにも関わらず、１枚又は２枚のプリズムシート２５を備える必要がある。
【０００８】
本発明はこれらの不都合に鑑みてなされたものであり、集光、拡散、変角等の光学的機能が格段に高い光学シート及びこれを用いて正面方向の高輝度化、輝度の均一化、視野角の適正化、薄型化等の品質の向上が促進されるバックライトユニットの提供を目的とするものである。
【０００９】
【課題を解決するための手段】
上記課題を解決するためになされた発明は、表面に複数のマイクロレンズからなるマイクロレンズアレイを備え、このマイクロレンズが長軸を法線方向に向けた楕円面の部分的形状を有している光学シートである。
【００１０】
当該光学シートは、表面にマイクロレンズアレイを備え、このマイクロレンズアレイを構成するマイクロレンズが長軸を法線方向に向けた楕円面の部分的形状を有していることから、このマイクロレンズの球面収差が低減される。従って、当該光学シートは、マイクロレンズの球面収差による光線のロスが低減され、透過光線に対する正面側への集光機能、拡散機能、法線方向側への変角機能等の光学的機能が高められる。
【００１１】
当該光学シートにおいて、マイクロレンズの高さ（Ｈ）の楕円面の長軸半径（ＲＬ）に対する高さ比（Ｈ／ＲＬ）としては３／４以上１以下、長軸半径（ＲＬ）の短軸半径（ＲＳ）に対する扁平比（ＲＬ／ＲＳ）としては１．０５以上１．７以下が好ましい。高さ比（Ｈ／ＲＬ）及び扁平比（ＲＬ／ＲＳ）を上記範囲とすることで、マイクロレンズの球面収差が格段に低減され、集光等の光学的機能が格段に向上する。
【００１２】
また、上記マイクロレンズの楕円面における長軸半径（ＲＬ）としては１０μｍ以上１０００μｍ以下、上記マイクロレンズの充填率としては４０％以上、上記マイクロレンズの表面粗さ（Ｒａ）としては１０μｍ以下、上記マイクロレンズアレイを構成する素材の屈折率としては１．３以上１．８以下が好ましい。長軸半径（ＲＬ）、マイクロレンズの充填率、マイクロレンズの表面粗さ（Ｒａ）及びマイクロレンズ素材の屈折率を上記範囲とすることで、集光、拡散等の光学的機能がさらに高められる。
【００１３】
上記マイクロレンズの楕円面における２短軸を略同一長さとするとよい。このようにマイクロレンズの２短軸を略同一長さとすることで、当該光学シートは集光等の光学的機能が等方的に奏される。
【００１４】
上記マイクロレンズアレイにおけるマイクロレンズの配設パターンとしては正三角形格子パターン又はランダムパターンが好ましい。この正三角形格子パターンはマイクロレンズをより密に配設することができるため、当該光学シートのレンズ充填率が容易に高められ、集光、拡散等の光学的機能が格段に向上される。また、ランダムパターンでマイクロレンズを配設することで、当該光学シートを他の光学部材と重ね合わせた際にモアレの発生が低減される。
【００１５】
上記マイクロレンズアレイを構成する素材としては放射線硬化型樹脂又は熱可塑性樹脂を用いるとよい。かかる放射線硬化型樹脂又は熱可塑性樹脂によれば、上記形状のマイクロレンズからなるマイクロレンズアレイを容易かつ確実に形成することができる。
【００１６】
当該光学シートは、裏面にバインダー中にビーズが分散したスティッキング防止層を備えるとよい。このように裏面にスティッキング防止層を備えることで、当該光学シートと裏面側に配設される導光板、プリズムシート等とのスティッキングが防止される。
【００１７】
従って、ランプから発せられる光線を分散させて表面側に導く液晶表示装置用のバックライトユニットにおいて、集光、拡散、変角等の光学的機能が高い当該光学シートを備えると、エネルギー効率が向上し、正面方向の高輝度化、輝度の均一化、視野角の適正化等により品質が高められ、さらに光学シート枚数の低減による薄型化が促進される。
【００１８】
ここで、「マイクロレンズ」とは、凸レンズ及び凹レンズを含む概念である。「マイクロレンズの高さ」とは、マイクロレンズが凸レンズの場合にはマイクロレンズの基底面から最頂部までの垂直距離、マイクロレンズが凹レンズの場合にはマイクロレンズの開口面から最底部までの垂直距離を意味する。「充填率」とは、当該光学シートの表面投影形状における単位面積当たりのマイクロレンズの占有比率を意味する。「正三角形格子パターン」とは、表面を同一形状の正三角形に区分し、その正三角形の各頂点にマイクロレンズを配設するパターンを意味する。
【００１９】
【発明の実施の形態】
以下、適宜図面を参照しつつ本発明の実施の形態を詳説する。図１（ａ）及び（ｂ）は本発明の一実施形態に係る光学シートを示す模式的部分平面図及び模式的部分断面図、図２は図１の光学シートを備えるバックライトユニットを示す模式的断面図、図３は図１の光学シートとは異なる形態に係る光学シートを示す模式的部分断面図である。
【００２０】
図１の光学シート１は、基材層２と、この基材層２の表面に有するマイクロレンズアレイ３とを備えている。
【００２１】
基材層２は、光線を透過させる必要があるので透明、特に無色透明の合成樹脂から形成されている。かかる基材層２に用いられる合成樹脂としては、特に限定されるものではなく、例えばポリエチレンテレフタレート、ポリエチレンナフタレート、アクリル樹脂、ポリカーボネート、ポリスチレン、ポリオレフィン、セルロースアセテート、耐候性塩化ビニル、放射線硬化型樹脂等が挙げられる。中でも、マイクロレンズアレイ３の成形性に優れる紫外線硬化型樹脂、電子線硬化型樹脂等の放射線硬化型樹脂やポリカーボネート、ポリオレフィン等の熱可塑性樹脂が好ましい。また、基材層２としてポリエチレンテレフタレートフィルム、ポリエチレンナフタレートフィルム又はポリカーボネートフィルムを用い、その上に紫外線硬化性樹脂などでマイクロレンズ４を形成することもできる。
【００２２】
基材層２の厚み（平均厚み）は、特には限定されないが、例えば１０μｍ以上５００μｍ以下、好ましくは３５μｍ以上２５０μｍ以下、特に好ましくは５０μｍ以上１８８μｍ以下とされる。基材層２の厚みが上記範囲未満であると、バックライトユニット等において熱に曝された際にカールが発生しやすくなってしまう、取扱いが困難になる等の不都合が発生する。逆に、基材層２の厚みが上記範囲を超えると、液晶表示装置の輝度が低下してしまうことがあり、またバックライトユニットの厚みが大きくなって液晶表示装置の薄型化の要求に反することにもなる。
【００２３】
マイクロレンズアレイ３は、基材層２の表面に突設される多数のマイクロレンズ４から構成されている。マイクロレンズアレイ３は、基材層２と一体成形されてもよく、基材層２と別体に成形されてもよい。マイクロレンズアレイ３は、光線を透過させる必要があるので透明、特に無色透明の合成樹脂から形成されており、具体的には上記基材層２と同様の合成樹脂が用いられている。
【００２４】
なお、基材層２及びマイクロレンズ４には、上記の合成樹脂の他、例えばフィラー、可塑剤、安定化剤、劣化防止剤、分散剤等が配合されてもよい。
【００２５】
マイクロレンズ４は、楕円面５の部分的形状を有している。この楕円面５は、長軸６が当該光学シート１の法線方向と平行に、短軸７及び短軸８が当該光学シート１と平行に位置している。このように、マイクロレンズ４を長軸６が法線方向と平行な楕円面５の上側部分形状とすることで、マイクロレンズ４の球面収差が低減され、当該光学シート１の集光機能、拡散機能、変角機能等の光学的機能が高められる。
【００２６】
マイクロレンズ４は、基材層２の表面に比較的密にかつ幾何学的に配設されている。マイクロレンズ４は、基材層２の表面において、正三角形格子パターンで配設されている。従って、マイクロレンズ４のピッチ及びレンズ間距離（Ｓ）は全て一定である。この配設パターンは、マイクロレンズ４を最も密に配設することができ、当該光学シート１の集光機能、拡散機能、変角機能等の光学的機能を向上することができる。
【００２７】
マイクロレンズ４の高さ（Ｈ）の楕円面５の長軸半径（ＲＬ）に対する高さ比（Ｈ／ＲＬ）としては３／４以上１以下が好ましい。マイクロレンズ４の高さ比（Ｈ／ＲＬ）を上記範囲とすることで、マイクロレンズ４におけるレンズ的屈折作用が効果的に奏され、上記球面収差の低減と相まって、当該光学シート１の集光、拡散、変角等の光学的機能が格段に向上される。
【００２８】
マイクロレンズ４の楕円面５における長軸半径（ＲＬ）の短軸半径（ＲＳ）に対する扁平比（ＲＬ／ＲＳ）の下限としては１．０５が好ましい。一方、この扁平比（ＲＬ／ＲＳ）のの上限としては１．７が好ましく、１．５が特に好ましい。ここで、「短軸半径（ＲＳ）」とは、長軸６と垂直な２短軸７、８の半径（ＲＳ１）と半径（ＲＳ２）との平均値を意味する。マイクロレンズ４を扁平比（ＲＬ／ＲＳ）が上記範囲となる楕円面５から構成することで、球面収差が格段に低減され、当該光学シート１の集光、拡散、変角等の光学的機能が格段に向上される。
【００２９】
マイクロレンズ４の楕円面５における長軸半径（ＲＬ）の下限としては１０μｍが好ましく、３０μｍが特に好ましい。一方、この長軸半径（ＲＬ）の上限としては１０００μｍが好ましく、４００μｍが特に好ましい。マイクロレンズ４を構成する楕円面５の長軸半径（ＲＬ）が上記範囲より小さいと、回析の影響が大きくなり、光学的性能の低下や色分解が起こり易く、品質の低下を招来する。一方、楕円面５の長軸半径（ＲＬ）が上記範囲を超えると、輝度ムラが生じやすく、同様に品質の低下を招来する。
【００３０】
マイクロレンズ４の充填率の下限としては、４０％、特に６０％、さらに特に７０％が好ましい。このようにマイクロレンズ４の充填率を上記下限以上とすることで、当該光学シート１表面におけるマイクロレンズ４の占有面積を高め、当該光学シート１の集光、拡散等の光学的機能が格段に向上される。
【００３１】
マイクロレンズ４の表面粗さ（Ｒａ）の上限としては１０μｍが好ましく、２μｍが特に好ましい。マイクロレンズ４の表面粗さ（Ｒａ）を上記上限以下とすることで、マイクロレンズ４表面での乱反射や乱屈折によるレンズ的光学作用の低下が低減され、当該光学シート１の集光、拡散、変角等の光学的機能が有効に発揮される。
【００３２】
マイクロレンズアレイ３を構成する素材の屈折率の下限としては１．３が好ましく、１．４５が特に好ましい。一方、この素材の屈折率の上限としては１．８が好ましく、１．６が特に好ましい。この範囲の中でも、マイクロレンズアレイ３を構成する素材の屈折率としては１．５が最も好ましい。このようにマイクロレンズアレイ３を構成する素材の屈折率を上記範囲とすることで、マイクロレンズ４におけるレンズ的屈折作用が効果的に奏され、当該光学シート１の集光、拡散等の光学的機能がさらに高められる。
【００３３】
マイクロレンズ４の楕円面５における短軸７の半径（ＲＳ１）と短軸８の半径（ＲＳ２）とを略同一長さとするとよい。このように２短軸を略同一長さとする回転楕円面５からマイクロレンズ４を構成することで、当該光学シートは集光等の光学的機能が等方的に奏される。
【００３４】
当該光学シート１は、上述のように球面収差の少ないマイクロレンズ４からなるマイクロレンズアレイ３によって優れた集光、拡散、変角等の光学的機能を有する。また、当該光学シート１は、マイクロレンズアレイ３を構成するマイクロレンズ４の高さ比（Ｈ／ＲＬ）、扁平比（ＲＬ／ＲＳ）、長軸半径（ＲＬ）、充填率等を調整することで、光学的機能が容易かつ確実に制御される。さらに、当該光学シート１は、マイクロレンズ４の高さ（Ｈ）を一定に調整することで、応力集中が抑制され、重ねられる他部材への傷付けが防止される。
【００３５】
当該光学シート１の製造方法としては、上記構造のものが形成できれば特に限定されるものではなく、種々の方法が採用される。当該光学シート１の製造方法としては、基材層２を作成した後にマイクロレンズアレイ３を別に形成する方法と、基材層２とマイクロレンズアレイ３とを一体成形する方法とが可能であり、具体的には、
（ａ）マイクロレンズアレイ３の表面の反転形状を有するシート型に合成樹脂を積層し、そのシート型を剥がすこと当該光学シート１を形成する方法、
（ｂ）マイクロレンズアレイ３の表面の反転形状を有する金型に溶融樹脂を注入する射出成型法、
（ｃ）シート化された樹脂を再加熱して前記と同様の金型と金属板との間にはさんでプレスして形状を転写する方法、
（ｄ）マイクロレンズアレイ３の表面の反転形状を周面に有するロール型と他のロールとのニップに溶融状態の樹脂を通し、上記形状を転写する押出しシート成形法、
（ｅ）基材層に紫外線硬化型樹脂を塗布し、上記と同様の反転形状を有するシート型、金型又はロール型に押さえ付けて未硬化の紫外線硬化型樹脂に形状を転写し、紫外線をあてて紫外線硬化型樹脂を硬化させる方法、
（ｆ）上記と同様の反転形状を有する金型又はロール型に未硬化の紫外線硬化性樹脂を充填塗布し、基材層で押さえ付けて均し、紫外線をあてて紫外線硬化型樹脂を硬化させる方法、
（ｇ）紫外線硬化型樹脂の代わりに電子線硬化型樹脂を使用する方法
などがある。
【００３６】
上記マイクロレンズアレイ３の反転形状を有する型（モールド）の製造方法としては、例えば基材上にフォトレジスト材料により斑点状の立体パターンを形成し、この立体パターンを加熱流動化により曲面化することで、マイクロレンズアレイ模型を作製し、このマイクロレンズアレイ模型の表面に電鋳法により金属層を積層し、この金属層を剥離することで製造することができる。
【００３７】
上記製造方法によれば、任意形状のマイクロレンズアレイ３が容易かつ確実に形成される。そのため、マイクロレンズアレイ３を構成するマイクロレンズ４のサイズ（具体的には、高さ比（Ｈ／ＲＬ）、扁平比（ＲＬ／ＲＳ）及び長軸半径（ＲＬ））、マイクロレンズ４の充填率、配設パターン等が容易かつ確実に調整され、その結果当該光学シート１の光学的機能が容易かつ確実に制御される。
【００３８】
図２に示すエッジライト型バックライトユニットは、導光板９と、この導光板９の対偶辺に配設される一対の線状ランプ１０と、導光板９の表面側に重ねて配設される光学シート１とを備えている。ランプ１０から発せられ、導光板９表面から出射される光線は法線方向に対して所定角度傾斜した比較的強いピークを有しているが、当該バックライトユニットは、正面側への集光機能、光拡散機能、法線方向側への変角機能等の光学的機能が格段に高い当該光学シート１により、エネルギー効率が高く、正面高輝度化及び輝度の均一化が図られ、適当な視野角を有している。従って、当該バックライトユニットは、従来必要であった光学シート（ビーズ塗工シート等）の装備枚数の低減化が図られ、薄型化、高品質化及び低コスト化が促進される。なお、エッジライト型バックライトユニットは、４本、６本等のランプ１０が装備されることもある。
【００３９】
図３の光学シート１１は、基材層２と、この基材層２の表面に有するマイクロレンズアレイ３と、基材層２の裏面に積層されるスティッキング防止層１２とを備えている。この基材層２及びマイクロレンズアレイ３は、上記図１の光学シート１と同様であるため、同一番号を付して説明を省略する。
【００４０】
スティッキング防止層１２は、バインダー１３と、このバインダー１３中に分散するビーズ１４とから構成されている。このバインダー１３は、基材ポリマーを含むポリマー組成物を硬化させることで形成される。このバインダー１３によって、基材層２の裏面にビーズ１４が略等密度に配置固定される。なお、このスティッキング防止層１２の厚み（ビーズ１４を除いたバインダー１３部分の厚み）は特には限定されないが、例えば１μｍ以上１０μｍ以下程度とされている。
【００４１】
上記基材ポリマーとしては、特に限定されるものではなく、例えばアクリル系樹脂、ポリウレタン、ポリエステル、フッ素系樹脂、シリコーン系樹脂、ポリアミドイミド、エポキシ樹脂、紫外線硬化型樹脂等が挙げられ、これらのポリマーを１種又は２種以上混合して使用することができる。特に、上記基材ポリマーとしては、加工性が高く、塗工等の手段で容易にスティッキング防止層１２を形成することができるポリオールが好ましい。また、バインダー１３に用いられる基材ポリマーは光線を透過させる必要があるので透明とされており、特に無色透明が好ましい。
【００４２】
上記ポリオールとしては、例えば（ａ）水酸基過剰の条件で得られるポリエステルポリオールと、（ｂ）水酸基含有不飽和単量体を含む単量体成分を重合して得られ、かつ、（メタ）アクリル単位等を有するアクリルポリオールとが好ましい。かかるポリエステルポリオール又はアクリルポリオールを基材ポリマーとするバインダー１３は耐候性が高く、スティッキング防止層１２の黄変等を抑制することができる。なお、このポリエステルポリオールとアクリルポリオールのいずれか一方を使用してもよく、両方を使用してもよい。
【００４３】
なお、バインダー１３を形成するためのポリマー組成物は、基材ポリマー以外に、例えば微小無機充填剤、硬化剤、可塑剤、分散剤、各種レベリング剤、帯電防止剤、紫外線吸収剤、抗酸化剤、粘性改質剤、潤滑剤、光安定化剤等が適宜配合されてもよい。
【００４４】
ビーズ１４の材料としては、無機フィラーと有機フィラーに大別される。無機フィラーとしては、具体的には、シリカ、水酸化アルミニウム、酸化アルミニウム、酸化亜鉛、硫化バリウム、マグネシウムシリケート、又はこれらの混合物を用いることができる。有機フィラーの具体的な材料としては、アクリル樹脂、アクリロニトリル樹脂、ポリウレタン、ポリ塩化ビニル、ポリスチレン、ポリアクリロニトリル、ポリアミド等を用いることができる。中でも、透明性が高く、光線の透過を阻害しないアクリル樹脂が好ましく、ポリメチルメタクリレート（ＰＭＭＡ）が特に好ましい。
【００４５】
ビーズ１４の平均粒子径の下限としては１μｍ、特に２μｍ、さらに特に５μｍが好ましく、この平均粒子径の上限としては５０μｍ、特に２０μｍ、さらに特に１５μｍが好ましい。ビーズ１４の平均粒子径が上記下限より小さいと、ビーズ１４によって形成されるスティッキング防止層１２の裏面の凸部が小さくなり、十分なスティッキング防止効果が得られないおそれがある。逆に、ビーズ１４の平均粒子径が上記上限を越えると、光学シート１１の厚さが増大し、かつ、裏面側に重ね合わされる他の光学部材に傷を付けるおそれがある。
【００４６】
このビーズ１４の配合量は比較的少量とされ、ビーズ１４は互いに離間してバインダー１３中に分散し、ビーズ１４の多くはその下端がバインダー１３からごく少量突出している。そのため、この光学シート１１を導光板と積層すると、突出したビーズ１４の下端が導光板等の表面に当接し、光学シート１１の裏面の全面が導光板等と当接することがない。これにより、光学シート１１と導光板等とのスティッキングが防止され、液晶表示装置の画面の輝度ムラが抑えられる。
【００４７】
当該スティッキング防止層１２の形成方法としては、例えば（ａ）バインダー１３を構成するポリマー組成物にビーズ１４を混合することでスティッキング防止層用塗工液を製造する工程と、（ｂ）このスティッキング防止層用塗工液を基材層２の裏面に塗工することでスティッキング防止層１２を積層する工程とを有する。
【００４８】
なお、本発明の光学シートは上記実施形態に限定されるものではなく、例えば凹レンズのマイクロレンズからなるマイクロレンズアレイも可能である。かかる凹レンズのマイクロレンズも、上記凸レンズのマイクロレンズと同様に優れた光学的機能を有する。また、マイクロレンズの配設パターンとしては、稠密充填可能な上記正三角形格子パターンに限定されず、正方形格子パターンやランダムパターンも可能である。ランダムパターンによれば、当該光学シートを他の光学部材と重ね合わせた際にモアレの発生が低減される。
【００４９】
【発明の効果】
以上説明したように、本発明の光学シートによれば、集光、拡散、変角等の光学的機能が格段に高く、その光学的機能の制御が容易かつ確実であり、重ね合わされる他部材への傷付けが抑制される。また、当該光学シートを用いたバックライトユニットは、正面方向の高輝度化、輝度の均一化、視野角の適正化、薄型化等の品質の向上及び低コスト化が促進される。
【図面の簡単な説明】
【図１】（ａ）及び（ｂ）は本発明の一実施形態に係る光学シートを示す模式的部分平面図及び模式的部分断面図である。
【図２】図１の光学シートを備えるエッジライト型バックライトユニットを示す模式的断面図である。
【図３】図１の光学シートとは異なる形態に係る光学シートを示す模式的部分断面図である。
【図４】（ａ）は従来の一般的なエッジライト型バックライトユニットを示す模式的斜視図、（ｂ）は従来のビーズ塗工シートを示す模式的断面図である。
【符号の説明】
１  光学シート
２  基材層
３  マイクロレンズアレイ
４  マイクロレンズ
５  楕円面
６  長軸
７  短軸
８  短軸
９  導光板
１０  線状ランプ
１１  光学シート
１２  スティッキング防止層
１３  バインダー
１４  ビーズ
【図１】
2004191611.tif 000003
【図２】
2004191611.tif 000004
【図３】
2004191611.tif 000005
【図４】
2004191611.tif 000006